(57)【要約】【課題】補強材２５内部における本体部１０の反りが抑制され、衝撃力に対する耐性が向上された包装袋を提供する。【解決手段】底面シート及び側面シートを熱溶着することで袋状に形成された本体部１０の側縁及び上縁の一部は、熱可塑性樹脂からなる補強材２５によって被覆されている。補強材２５のうち、本体部１０の上縁に形成された補強材２５には、窓部２６が形成されている。本体部１０に補強材２５を射出形成する際には、金型の凹部に本体部１０の上縁が突出するように配置され、その突出した上縁の一部が金型の凹部内に設けられた規制部に当接されて保持される。したがって、補強材２５内に配置される本体部１０の上縁に反りが生じにくくなり、補強材２５の被覆幅を広くしても包装袋の耐衝撃性等が損なわれることを抑制する。【選択図】図２
2008195407.tif 000002
【特許請求の範囲】
【請求項１】
袋状に形成された本体部と、熱可塑性樹脂からなるとともに前記本体部の周縁に配設される補強材とを備えた包装袋において、前記補強材には窓部が形成されていることを特徴とする包装袋。
【請求項２】
前記補強材の窓部は、前記本体部の周縁よりも内側に配置されていることを特徴とする請求項１に記載の包装袋。
【請求項３】
前記本体部の周縁のうち一辺には内容物の流通が可能な内容物流通口が設けられるとともに、少なくとも該内容物流通口が設けられる辺に前記補強材が配設され、前記内容物流通口が設けられる本体部の辺に配設される前記補強材に前記窓部が設けられていることを特徴とする請求項１又は請求項２に記載の包装袋。
【発明の詳細な説明】
【技術分野】
【０００１】
本発明は、補強材を備えた包装袋に関する。
【背景技術】
【０００２】
従来、包装袋の中折れの防止や自立性の向上等を目的として、樹脂シートからなる袋状の本体部を補強材で補強する包装袋の技術が知られている。たとえば、特許文献１には、本体部の上縁及び両側縁を熱可塑性樹脂からなる補強材で覆う点が開示されている。
【０００３】
具体的には、図６（ａ）に示すように、凹部６１ａを有する下金型６１の上に袋状の本体部６３が配置されるとともに上金型６２が下降し、両金型６１、６２によって本体部６３が挟まれた状態となる。このとき、本体部６３は、その上縁あるいは側縁が下金型６１の凹部６１ａ内に所定の被覆幅Ｌを確保するように突出配置される。この状態で下金型６１の凹部６１ａに熱可塑性樹脂が射出され、補強材の下半割体６４が形成される。次いで、図６（ｂ）に示すように、上金型６２がスライドして上金型６２の凹部６２ａと下金型６１の凹部６１ａが対向配置される。この状態で上金型６２の凹部６２ａに熱可塑性樹脂が射出されることで補強材の上半割体６５が形成され、下半割体６４と上半割体６５とで本体部６３が補強される。
【特許文献１】特開２００３−１９１９６４号公報
【発明の開示】
【発明が解決しようとする課題】
【０００４】
たとえば、包装袋が落下するなどして一対の樹脂シートが互いに離間しようとするような衝撃力が加わると、その衝撃力に応じて補強材が裂けたり剥がれたりする可能性がある。したがって、補強材の裂けや剥がれを防ぐという観点からは、補強材を射出成形する場合に下金型６１又は上金型６２の凹部６１ａ、６２ａに対する本体部６３の上縁あるいは側縁の突出長を大きくすることで、補強材の被覆幅Ｌを広くすることが好ましい。この補強材の被覆幅Ｌが広ければ、衝撃力に対する耐性が高まり、補強材の裂けや剥がれが抑制され得るからである。
【０００５】
ところが、図６（ｃ）に示すように、被覆幅Ｌを広くすると、下金型６１の凹部６１ａや上金型６２の凹部６２ａ内で本体部６３の上縁あるいは両側縁に反りが発生しやすくなる。すなわち、熱可塑性樹脂を射出成形する場合、下金型６１の凹部６１ａ及び上金型６２の凹部６２ａに対して本体部６３の上縁及び両側縁が自由端であるため、上述の突出長を長くして被覆幅Ｌを大きくしようとすると射出される熱可塑性樹脂の流れや熱によって反りやすくなる。こうした反りが発生すると、本体部６３の上縁及び両側縁が補強材から部分的に露出することもあって、その場合には包装袋の美観を損なうことになる。また、本体部６３の表裏（図６（ｃ）において上側と下側）で補強材の厚さが不均一となるため、被覆幅Ｌを広くするための目的であった衝撃力に対する耐性の向上が実現できなくなる場合もある。
【０００６】
本発明は、前記従来技術の事情を鑑みてなされたものであり、補強材の内部における本体部の反りが抑制され、包装袋の耐衝撃性が向上した包装袋を提供することを目的とする。
【課題を解決するための手段】
【０００７】
上記の目的を達成するために、請求項１に記載の発明の包装袋は、袋状に形成された本体部と、熱可塑性樹脂からなるとともに前記本体部の周縁に配設される補強材とを備えた包装袋において、前記補強材には窓部が形成されている。
【０００８】
上記の構成によれば、本体部に補強材を配設する際には、たとえば、熱可塑性樹脂が射出される金型の凹部に本体部の周縁が突出するように配置され、その突出した周縁の一部が金型の凹部内に配設される規制部に当接されて保持される。したがって、射出成形時に、本体部の周縁に反りが生じにくくなり、被覆幅を広くしても包装袋の耐衝撃性が損なわれることはない。また、本体部の周縁に反りが生じにくいことから、包装袋の美観が損なわれることはない。
【０００９】
請求項２に記載の発明では、請求項１に記載の発明の包装袋において、前記補強材の窓部は、前記本体部の周縁よりも内側に配置されている。たとえば、前記金型の凹部内に配設される前記規制部頂面の全体が本体部の周縁に当接することから、射出成形された補強材の窓部の内域全体に本体部が存在するようになる。仮に、前記規制部頂面の一部が本体部の周縁に当接し、前記規制部頂面の他部が本体部の周縁に当接しない場合、規制部と本体部との間から熱可塑性樹脂が漏れ出て、窓部の内域にいわゆるバリが発生する可能性がある。しかし、本願の請求項２の構成では、このバリの発生を抑制することができる。
【００１０】
請求項３に記載の発明では、請求項１又は請求項２に記載の発明の包装袋において、前記本体部の周縁のうち一辺には内容物の流通が可能な内容物流通口が設けられるとともに、少なくとも該内容物流通口が設けられる辺に前記補強材が配設され、前記内容物流通口が設けられる本体部の辺に配設される前記補強材に前記窓部が設けられている。
【００１１】
一般に、包装袋に対する内容物の充填、又は口具の配設等の内容物流通口の加工時には、包装袋は内容物流通口が上方となるように支持されることが多い。このとき、窓部を活用することで包装袋の支持状態が保持されることとなれば、内容物の充填、又は口具の配設等の内容物流通口の加工を安定的に実行することができる。
【発明の効果】
【００１２】
本発明の包装袋によれば、補強材の内部における本体部の反りが抑制され、補強材の被覆幅を広くすることができるので、包装袋の耐衝撃性の向上が実現できる。
【発明を実施するための最良の形態】
【００１３】
以下、本発明を内容物流通口を備えた包装袋に具体化した一実施形態を図１〜図４にしたがって説明する。図２に示すように、包装袋は内容物を収納する袋状の本体部１０と、本体部１０の側縁から上縁にかけて配設される柱状の補強材２５と、本体部１０の上部に配設されるとともに内容物の流通を許容する内容物流通口としての口具２７とで構成されている。
【００１４】
図１に示すように、本体部１０は、折り目が上方（図１において上側）を向くように二つ折りにされた底面シート１１と、底面シート１１を挟み込む一対の側面シート１２で構成されている。底面シート１１は、四角形状に形成されているとともにその四つの角が四角形状に切り欠かれた切欠部１１ａを設けている。また、底面シート１１は、一方の表面が熱溶着性を有するように形成されており、二つ折りされた状態で熱溶着性の表面が外側となるように配置されている。
【００１５】
側面シート１２は、上方に向かうほどそのシート幅が徐々に小さくなる略台形状に形成されているとともに、下方の二つの角が四角形状に切り欠かれた切欠部１２ａを有する。なお、側面シート１２の切欠部１２ａは底面シート１１の切欠部１１ａと同形同大に形成されている。また、側面シート１２は一方の表面が熱溶着性を有するように形成されており、底面シート１１を両側から挟み込む際には、側面シート１２それぞれの熱溶着性の表面同士が対向するように配置されているとともに、底面シート１１の切欠部１１ａと側面シート１２の切欠部１２ａとが対向するように配置されている。
【００１６】
図２及び図３に示すように、底面シート１１と一対の側面シート１２とは底縁熱溶着部２１において熱溶着されて、四層構造となっている。図２に示すように、底縁熱溶着部２１は、正面視すると円弧状に凹んだ曲線と本体部１０の側縁及び底縁によって囲まれた領域となるように形成されている。上述のように、底面シート１１の切欠部１１ａと側面シート１２の切欠部１２ａは対向するように配置されているので、本体部１０は下方二つの角が切り欠かれた切欠部１０ａを有している。
【００１７】
図２に示すように、一対の側面シート１２は、その側縁同士が側縁熱溶着部２２において熱溶着され、側縁熱溶着部２２はその上方が一対の側面シート１２の二層構造をなすとともに、その下方が一対の側面シート１２と二つ折りされた底面シート１１との四層構造をなしている。また、一対の側面シート１２はその上縁同士が上縁熱溶着部２３において熱溶着されている。上縁熱溶着部２３は、一対の側面シート１２の二層構造をなすとともに、本体部１０の上縁の中央で非熱溶着部が存在することによって２つに分かれている。
【００１８】
図２及び図３に示すように、本体部１０の側縁及び上縁の一部には、熱可塑性樹脂からなる補強材２５が形成されている。補強材２５は、本体部１０の側縁熱溶着部２２及び上縁熱溶着部２３に沿う柱形状に形成され、補強材２５の下方側は本体部１０の切欠部１０ａに臨むように配設されるとともに、補強材２５の下端は本体部１０の底縁よりも上方位置に配設されている。補強材２５はその短手方向において断面視すると断面コ字状をなしており、その補強材２５によって、側縁熱溶着部２２及び上縁熱溶着部２３の外側端部が覆われた状態となっているとともに、その内側端部２２ａ、２３ａは補強材２５に覆われることなく表出された状態となっている。上縁熱溶着部２３に形成された補強材２５の短手方向の幅Ｘ（図２において上下方向の幅）は、側縁熱溶着部２２に形成された補強材２５の短手方向の幅Ｙ（図２において左右方向の幅）よりも大きく形成されている。
【００１９】
本体部１０の上縁熱溶着部２３に沿って形成された補強材２５には窓部２６が形成され、その窓部２６は、それぞれの角が丸みを帯びたＲ形状をなす略長方形に形成されている。窓部２６は、その長手方向（図２において左右方向の幅）が本体部１０の上縁に沿う方向と同じとなるように形成されている。窓部２６はその長手方向の長さが上縁熱溶着部２３よりも短く、上縁熱溶着部２３に形成された補強材２５のうち本体部１０の中央側（後述する口具２７が配設される側）に位置する。窓部２６はその短手方向の長さ（図２において上下方向の幅）が補強材２５の短手方向の幅の１／３であり、補強材２５の短手方向に対して中央に位置する。また、窓部２６は、上縁熱溶着部２３の外側端部よりも本体部１０の内側に形成されており、上縁熱溶着部２３の外側端部が窓部２６内で露出しないように形成されている。
【００２０】
図２及び図３に示すように、本体部１０の上縁中央には、内容物の流通を可能とする口具２７が設けられている。口具２７は所定の大きさの筒状体２８と該筒状体２８の開口に対して着脱可能なキャップ２９とからなり、キャップ２９は回転されることで筒状体２８に着脱される。
【００２１】
次に、本実施形態の補強材２５を形成する際に用いられる金型４１について説明する。なお、この金型４１については、本実施形態の特徴部分である凹部４２及び規制部４３を中心に説明する。
【００２２】
図４に示すように、金型４１は、上下一対に設けられるとともに、どちらの金型４１にも凹部４２が形成されている。凹部４２は、長溝状をなすとともに、所定間隔をおいて複数設けられている。凹部４２は、凹部４２内面から凹部４２の開口側へ向けて隆起するように規制部４３を設けているとともに、規制部４３が設けられている箇所では、凹部４２は外側凹部（後述の外キャビティに相当）と内側凹部（後述の内キャビティに相当）に分けられている。規制部４３は、略長方形の柱状をなし、各角部は面取りされて丸みを帯びているとともに、規制部４３の長手方向は、凹部４２の延設方向と同じとなるように決められている。
【００２３】
一対の金型４１は、間に本体部１０を挟みつつ互いに接合される。この接合状態では、各金型４１の凹部４２同士は互いに対向するように配置されるとともに、各凹部４２の規制部４３同士も互いに対向するように配置される。このとき、規制部４３は本体部１０を介して互いに接合するのであって、金型４１の接合面４１ａと規制部４３の頂面４３ａとは同一平面上に位置している。
【００２４】
次に、前述の金型４１を用いて、本体部１０に補強材２５を形成する方法について説明する。
図４に示すように、袋状に形成された本体部１０を一対の金型４１の間に配置した状態で一対の金型４１が接合される。このとき、一対の金型４１の凹部４２同士によってキャビティが形成されるとともに、上述した規制部４３が形成された部分ではキャビティが外キャビティ（図４において左側）と内キャビティ（図４において右側）とに二分される。
【００２５】
本体部１０は、側縁熱溶着部２２の外側が金型４１の凹部４２によって形成されるキャビティ内に突出するとともに、側縁熱溶着部２２の内側端部２２ａがキャビティ内に突出することなく金型４１の接合面４１ａに接合されるように配置される。また、本体部１０の上縁熱溶着部２３は、その外側の一部が金型４１の凹部４２によって形成されるキャビティ内に突出するとともに、その内側端部２３ａがキャビティ内に突出することなく金型４１の接合面４１ａに接合されるように配置される。このとき、上縁熱溶着部２３は、キャビティ内に突出する部分が凹部４２内に形成された規制部４３に接合されて保持されるとともに、上縁熱溶着部２３の外側端部が外キャビティに突出するように配置される。
【００２６】
本体部１０を介して接合した金型４１のキャビティの内部には、図示しない樹脂充填口から溶解、軟化させた熱可塑性樹脂が充填される。充填された熱可塑性樹脂は、凹部４２内の規制部４３を避けるようにして充填されるため、その規制部４３によって補強材２５に窓部２６が形成される。
【００２７】
上記実施形態の包装袋によれば、以下のような効果を得ることができる。
（１）上記実施形態では、上縁熱溶着部２３の一部を被覆する補強材２５の短手方向の幅Ｘをより広く形成することができるため、その幅Ｘを大きくしたことに応じて耐衝撃性の向上を図ることができる。補強材２５には窓部２６が形成され、この窓部２６を形成するために、金型４１の凹部４２内に規制部４３が設けられている。したがって、補強材２５の形成時に規制部４３によって本体部１０の上縁熱溶着部２３が保持されるため、補強材２５の被覆幅Ｌを広くしても、補強材２５の内部における上縁熱溶着部２３の反りを抑制することができる。したがって、補強材２５の内部における上縁熱溶着部２３の反りに起因する耐衝撃性の低下を防ぐことができる。また、補強材２５の被覆幅Ｌを広くしても、補強材２５内に位置する上縁熱溶着部２３が上述の反りが原因となってその補強材２５から露出するということはなく、美観を損なうことがない。
【００２８】
なお、補強材２５の被覆幅Ｌを広くしたために上述のように上縁熱溶着部２３に反りが発生する場合、補強材２５の厚み（図３で「Ｚ」と示す。）を厚くすることで、耐衝撃性の低下防止と、補強材２５内に位置する上縁熱溶着部２３の露出防止を実現することもできる。しかし、この解決手段では熱可塑性樹脂の使用量の増大に伴って包装袋のコストがアップすることは避けられない。本実施形態の構成では、こうしたコストアップを極力抑えることができるのであって、こうした効果が得られる点にも特徴がある。
【００２９】
（２）たとえば、規制部４３の頂面４３ａの一部が上縁熱溶着部２３に当接し、規制部４３の頂面４３ａの他部が上縁熱溶着部２３に当接しない場合、規制部４３同士は、一部では上縁熱溶着部２３を介しつつ、他部では上縁熱溶着部２３を介することなく直に接合することになる。この場合、規制部４３と上縁熱溶着部２３との間から熱可塑性樹脂が漏れ出て、窓部２６の内域にいわゆるバリが発生する可能性がある。しかし、上記実施形態では、窓部２６が上縁熱溶着部２３の外側端部よりも内側に設けられているため、バリの発生を防止することができる。
【００３０】
（３）上記実施形態では、補強材２５の窓部２６は、本体部１０の上縁中央に位置する非熱溶着部を挟むように形成されている。この非熱溶着部に口具２７を設ける場合、又は、非熱溶着部又は口具２７を介して内容物を充填する場合等、包装袋支持機構（図示せず）の支持部が窓部２６に挿入されて包装袋が支持されれば、その支持状態を安定化させることができる。
【００３１】
（４）窓部２６は、その長手方向が本体部１０の上縁に沿う方向と同じとなるように形成されている。したがって、一対の金型４１間に袋状に形成された本体部１０が配置される場合、規制部４３は上縁熱溶着部２３の外側を好適に保持することが可能になる。
【００３２】
（５）窓部２６は、それぞれの角が丸みを帯びたＲ形状をなす略長方形に形成されている。この構成は、金型４１の凹部４２内に形成される規制部４３の四隅が面取りされて丸みを帯びていることを意味する。キャビティ内への熱可塑性樹脂の充填時には、規制部４３が流動抵抗として存在することになるが、その面取り構成は、熱可塑性樹脂の流動を支援することになる。また、窓部２６が補強材２５の短手方向の中央に形成されるということは、外キャビティと内キャビティとの断面積を均一化することを意味するため、この点においても熱可塑性樹脂の流動を支援することになる。
【００３３】
（６）本体部１０の側縁熱溶着部２２及び上縁熱溶着部２３の内側端部２２ａ、２３ａは、補強材２５に被覆されることなく表出している。したがって、本体部１０内において、一対の側面シート１２を引き離す異常な力が発生したとしても、その力が直接的に補強材２５に作用することを回避することができる。
【００３４】
（７）上記実施形態では、補強材２５の下端は本体部１０の側縁熱溶着部２２の下端よりも下方であって、切欠部１０ａに臨むように配設されている。したがって、補強材２５を形成する際、その下端に生じるバリの発生を抑制することができる。また、切欠部１０ａを設けることで補強材２５が本体部１０の下端から突出して包装袋の自立性を妨げることがない。
【００３５】
なお、上記実施形態は以下のように変更してもよい。
○  窓部２６の形状、個数は上記実施形態のものに限らず、適宜変更が可能である。たとえば、図５（ａ）に示すように、補強材５１に円形状の窓部５２を複数形成してもよいし、星型等の形状として美観を与える形状としてもよい。また、窓部２６は、その長手方向が本体部１０の上縁に沿う方向と同じとなるように形成される必要はなく、窓部２６の長手方向が本体部１０の上縁に沿う方向と交差するように形成してもよい。
【００３６】
また、窓部２６を補強材２５の表面から奥側（図３の厚みＺ方向側）ほど開口断面積が小さくなるような奥細形状に形成してもよい。この場合、金型４１の規制部４３は、頂面４３ａから裾拡がりとなるようなテーパ面を備えることになるため、熱可塑性樹脂を射出成形後、本体部１０を金型４１から離型しやすくなる。
【００３７】
○  窓部２６の長手方向の長さは、上記実施形態に限定されるものでなく、上縁熱溶着部２３に形成された補強材２５のほぼ全体に相当するように形成してもよいし、その長手方向の長さを短手方向の長さとほぼ同様となるように形成してもよい。
【００３８】
○  上記実施形態では、窓部２６は、上縁熱溶着部２３に形成された補強材２５のうち、本体部１０の中央側に位置するように形成したが、これに限定されることはない。窓部２６は、上記実施形態とは逆に本体部１０の外側に位置するように形成してもよいし、上縁熱溶着部２３に形成された補強材２５の中央に位置するように形成してもよい。
【００３９】
○  窓部２６は、上縁熱溶着部２３の外側端部よりも本体部１０の内側に形成されていたが、これに限定されることはない。たとえば、窓部２６に上縁熱溶着部２３の外側端部が露出するようにしてもよい。また、図５（ｂ）に示すとおり、補強材５１の外側から内側へ向かって半円状に凹設するように窓部５３を形成し、ここに上縁熱溶着部２３の外側端部が露出するようにしてもよい。また、図５（ｃ）に示すように、上縁熱溶着部２３の外側端部が露出しないようにしつつ補強材５１の内側から外側に向けて略楕円状に切欠かれた窓部５４を形成してもよい。
【００４０】
○  上記実施形態では、側縁熱溶着部２２及び上縁熱溶着部２３に補強材２５を形成したが、形成位置はこれに限らない。たとえば、側縁熱溶着部２２のみに、あるいは上縁熱溶着部２３のみに形成してもよいし、底縁熱溶着部２１に対応して補強材２５を形成することも可能である。また、補強材２５は、上記実施形態の包装袋では柱状の２つから構成されていたが、これを３以上に分割形成された補強材２５として構成してもよい。このように、補強材２５の構成は様々に変更可能であり、それに伴って窓部２６も各補強材２５に形成するようにしてもよい。
【００４１】
○  補強材２５の製造方法は上記実施形態に限らない。たとえば、上記背景技術で提示した特許文献１に記載の発明のように（図６（ａ）、（ｂ）参照）、まず、下方に配置された金型の凹部に下半割体を形成し、次いで上方に配置された金型の凹部に上半割体を形成して、これら上下の半割体をもって補強材２５を構成してもよい。
【００４２】
○  補強材２５の形状は上記実施形態に限らない。たとえば、上縁熱溶着部２３に形成された補強材２５を幅広に形成しなくてもよいし、側縁熱溶着部２２に形成された補強材２５を幅広に形成してもよい。また、上縁熱溶着部２３に形成された補強材２５の短手方向の幅Ｘと、側縁熱溶着部２２に形成された補強材２５の短手方向の幅Ｙとは適宜変更が可能である。また、補強材２５の外側又は内側の形状を波状に形成して保持性や美観の向上を図ってもよい。
【００４３】
○  上記実施形態では、補強材２５は、本体部１０の切欠部１０ａにまで形成されていたが、補強材２５と切欠部１０ａとの高さ位置関係はそれに限定されない。補強材２５を切欠部１０ａの形状に沿うように（切欠部１０ａに合った同じ高さ位置となるように）形成してもよいし、補強材２５を本体部１０の切欠部１０ａに臨ませることなく、切欠部１０ａよりも上方に位置するように変更してもよい。また、切欠部１０ａの有無に関係なく、補強材２５を本体部１０の底縁と同位置又は底縁よりも下方に位置するように変更してもよい。
【００４４】
○  本体部１０の形状は、上記実施形態のものに限らない。たとえば、上記実施形態では、本体部１０の上縁は、水平方向に延びるように形成されていたが、これに限定されることはなく、本体部１０の中央ほど膨らむ、又は凹むように円弧状の曲線となるように上縁の形状を変更してもよい。また、本体部１０を平面視で正方形状にしてもよいし、三角形状等に変更するなど、とくに、本体部１０の形状は限定されない。また、本体部１０は自立性を企図することに限定されることはなく、たとえば、一対の側面シート１２のみからなり、そのうちの一方が底面に配置されるような本体部１０であってもよい。さらに、本体部１０を構成するシートは、上記実施形態のように３枚でなくともよく、１枚あるいは２枚以上のシートを折り曲げて熱溶着して袋状にしたり、筒状のシートを所定間隔に切断して一方の端部を熱溶着して袋状にするなど、袋状の本体部１０を構成するシートはとくに限定されない。
【００４５】
○  底縁熱溶着部２１の形状は上記実施形態のものに限らず、袋状の本体部１０が形成できればよい。たとえば、底縁熱溶着部２１の円弧状部分を、曲線ではなく直線で形成して、下方に向かうほど左右の幅が狭くなる逆台形状に形成してもよい。あるいは、円弧状部分をなくして、本体部１０の底縁を縁取りしたような直線状の底縁熱溶着部２１としてもよい。
【００４６】
○  それぞれのシートの接合は熱溶着に限らず、たとえば、接着剤による接合、超音波接着、高周波接着等に変更しても良い。あるいは、接合する工程を経ずに補強材２５によって各シートの接合を実現してもよい。
【００４７】
○  上記実施形態では、口具２７を本体部１０の上縁のうち中央に設けたが、口具２７の配設位置はこれに限らない。たとえば、本体部１０の上辺の端に設けてもよいし、あるいは本体部１０の側辺のうち上方側に設けてもよい。また、内容物流通口としての口具２７は、上記実施形態のものに限らず、たとえば、口具２７の代わりにファスナーを付与して開閉可能となるようにしてもよい。あるいは、切り取り可能な切込みを設け、使用時に開封することで内容物流通口としてもよい。
【００４８】
次に、上記実施形態及び別例から把握できる技術的思想について以下に追記する。
・  袋状の本体部の周縁を、該本体部の周縁形状に沿って形成された溝状の凹部に突出するように一対の金型の間に配置し、前記一対の金型の凹部によって形成されるキャビティ内に熱可塑性樹脂を充填することで本体部に補強材を形成する包装袋の製造方法であって、前記キャビティ内において、該キャビティの開口側へ向けて隆起する規制部によって前記本体部をその裏表両面側から挟み込んで保持しつつ、その保持状態で前記熱可塑性樹脂を充填する包装袋の製造方法。
【００４９】
この包装袋の製造方法によれば、本体部の周縁側がキャビティ内で保持されつつ熱可塑性樹脂が充填されるので、本体部の周縁に反りが発生して、製造された包装袋の耐衝撃性や美観を損なうことが抑制される。
【００５０】
・  袋状に形成した本体部と、熱可塑性樹脂からなるとともに前記本体部の周縁に配設される補強材とを備えた包装袋において、前記補強材は外方から内方に向かって凹設された窓部を有することを特徴とする包装袋。この発明においても、前述の窓部と同様に、本体部の周縁の反りが抑制され、包装袋の耐衝撃性を向上させることができる。
【００５１】
・  前記補強材は、少なくとも本体部の上縁の一部と側縁の全体に配設されており、前記窓部は、前記補強材の全域にわたって一つ又は複数設けられている包装袋。この発明によれば、本体部の上端及び側縁全体の反りが抑制されるので、本体部の上縁及び側縁全体にわたって被覆幅の広い補強材を形成して、耐衝撃性を向上させることができる。
【図面の簡単な説明】
【００５２】
【図１】本実施形態の包装袋の分解斜視図。
【図２】本実施形態の包装袋の正面図。
【図３】本実施形態の包装袋の斜視図。
【図４】本実施形態の包装袋の補強材形成時の断面図。
【図５】（ａ）、（ｂ）、（ｃ）は別例における包装袋の部分正面図。
【図６】（ａ）、（ｂ）、（ｃ）は従来における補強材形成時の断面図。
【符号の説明】
【００５３】
１０…本体部、１１…底面シート、１２…側面シート、２５…補強材、２６…窓部、２７…口具。
【図１】
2008195407.tif 000003
【図２】
2008195407.tif 000004
【図３】
2008195407.tif 000005
【図４】
2008195407.tif 000006
【図５】
2008195407.tif 000007
【図６】
2008195407.tif 000008